(57)【要約】【課題】パケット無線通信において、サービス品質(ＱｏＳ)を満足しながら省電力化を図る。【解決手段】基地局(１００)を構成する記憶手段(１０４)は、無線通信路品質と、移動局(２００)に対するパケット伝送に際しての所要サービス品質との対応関係を示す関数を、自局(１００)に生じ得る通信負荷毎に記憶する。算出手段(１０５)は、前記関数と測定手段(１０３)で測定された通信負荷とを用いて、予め定められたサービス品質を達成するのに必要な無線通信路品質の基準値を算出する。設定手段(１０６)は、前記パケット伝送に際して割り当て可能な第１の送信電力を算出すると共に、前記第１の送信電力で前記基準値を満足できる場合、前記基準値を満足でき且つ前記第１の送信電力よりも小さい第２の送信電力を設定する。【選択図】図１
2013118512.tif 000002
【特許請求の範囲】
【請求項１】
無線通信により、移動局に対するパケット伝送を行う伝送手段と、
無線通信路品質と、前記パケット伝送に際しての所要サービス品質との対応関係を示す関数を、自局に生じ得る通信負荷毎に記憶する記憶手段と、
前記通信負荷を測定する測定手段と、
前記関数と前記通信負荷を用いて、予め定められたサービス品質を達成するのに必要な無線通信路品質の基準値を算出する算出手段と、
前記パケット伝送に際して割り当て可能な第１の送信電力を算出すると共に、前記第１の送信電力で前記基準値を満足できる場合、前記基準値を満足でき且つ前記第１の送信電力よりも小さい第２の送信電力を設定する設定手段と、
を備えた基地局。
【請求項２】
請求項１において、
前記無線通信路品質と前記サービス品質を測定すると共に、前記関数を、前記通信負荷、前記サービス品質、及び前記無線通信路品質の測定値を用いて更新する更新手段を、
更に備えたことを特徴とする基地局。
【請求項３】
請求項１又は２において、
前記第２の送信電力は、前記基準値を満足できる最小の送信電力である、
ことを特徴とした基地局。
【請求項４】
請求項１〜３のいずれか一項において、
前記通信負荷は、パケットの送信候補となる移動局数である、
ことを特徴とした基地局。
【請求項５】
請求項１〜３のいずれか一項において、
前記通信負荷は、自局と接続中の移動局の数である、
ことを特徴とした基地局。
【請求項６】
請求項１〜５のいずれか一項において、
前記サービス品質は、パケットの伝送速度である、
ことを特徴とした基地局。
【請求項７】
請求項１〜５のいずれか一項において、
前記サービス品質は、パケットの送信遅延時間である、
ことを特徴とした基地局。
【請求項８】
請求項１〜７のいずれか一項において、
前記無線通信路品質は、信号電力に対する干渉電力及び雑音電力の比（ＳＩＮＲ：Ｓｉｇｎａｌ ｔｏ Ｉｎｔｅｒｆｅｒｅｎｃｅ ｐｌｕｓ Ｎｏｉｓｅ Ｒａｔｉｏ）である、
ことを特徴とした基地局。
【請求項９】
無線通信による基地局から移動局へのパケット伝送に際して、送信電力を設定する送信電力設定方法であって、
無線通信路品質と、前記パケット伝送に際しての所要サービス品質との対応関係を示す関数を、前記基地局に生じ得る通信負荷毎に記憶し、
前記通信負荷を測定し、
前記関数と前記通信負荷を用いて、予め定められたサービス品質を達成するのに必要な無線通信路品質の基準値を算出し、
前記パケット伝送に際して割り当て可能な第１の送信電力を算出し、
前記第１の送信電力で前記基準値を満足できる場合、前記基準値を満足でき且つ前記第１の送信電力よりも小さい第２の送信電力を設定する、
ことを含む送信電力設定方法。
【請求項１０】
無線通信により移動局に対するパケット伝送を行うに際して、送信電力を設定する基地局に、
無線通信路品質と、前記パケット伝送に際しての所要サービス品質との対応関係を示す関数を、前記基地局に生じ得る通信負荷毎に記憶する処理と、
前記通信負荷を測定する処理と、
前記関数と前記通信負荷を用いて、予め定められたサービス品質を達成するのに必要な無線通信路品質の基準値を算出する処理と、
前記パケット伝送に際して割り当て可能な第１の送信電力を算出する処理と、
前記第１の送信電力で前記基準値を満足できる場合、前記基準値を満足でき且つ前記第１の送信電力よりも小さい第２の送信電力を設定する処理と、
を実行させるための制御プログラム。
【発明の詳細な説明】
【技術分野】
【０００１】
本発明は、パケット無線通信に際しての送信電力を設定する技術に関する。
【背景技術】
【０００２】
例えば特許文献１に、移動通信システムにおける回線交換サービスに対する省電力化を目的とした送信電力の設定方法が記載されている。この方法は、移動局同士又は移動局と固定網との通信中の送信電力制御において初期送信電力を決定するものである。大略、制御チャネルの受信レベルに基づいて下り通話チャネルの初期送信電力値を決定することで、不要な高送信電力を防ぎ、省電力化を図る。
【０００３】
図１８に、特許文献１に記載される送信電力値の決定のための処理の一例を示す。ここで、Ｌｄは移動局から基地局へ報告された下り制御チャネルの受信レベル、Ｌｔｄは下り送信電力制御閾値、Ｐｄは制御チャネルの下り送信電力値を示している。まず、基地局は、受信レベルＬｄと閾値Ｌｔｄの間の差Ａを求め、差Ａが"４ｄＢ"より小さい場合に、下り初期送信電力値を制御チャネルの送信電力値Pdと同じ値にすると決定する(ステップＳ１０１〜Ｓ１０４)。また、差Ａが"４ｄＢ"より大きく且つ"８ｄＢ"より小さい場合には、基地局は、下り初期送信電力値を制御チャネルの送信電力値Ｐｄより"４ｄＢ"低い値にすると決定する(ステップＳ１０５及びＳ１０６)。差Ａが"８ｄＢ"より大きい場合、基地局は、下り初期送信電力値を制御チャネルの送信電力値Ｐｄより"８ｄＢ"低い値にすると決定する(ステップＳ１０７)。基地局は、このようにして決定した下り初期送信電力値を下り送信電力として用いて、移動局に対する通話チャネルの送信を行い、以て通話の受信レベルを維持しながら、省電力化を実現できる。
【０００４】
ところで、３ＧＰＰ(3rd Generation Partnership Project)において標準化が進められているＬＴＥ(Long Term Evolution)では、コアネットワークがＩＰ(Internet Protocol)ベースで構築される。換言すると、ＬＴＥではパケット交換方式が採用されている。そのため、音声やデータ等の全てのサービスのトラヒックはパケット化して伝送される。また、ＬＴＥでは、複数のユーザ(移動局)で無線チャネルを共用する。さらに、ＬＴＥでは、サービスクラス(トラヒック)毎に、保証伝送速度（ＧＢＲ：Guaranteed Bit Rate）、パケットの許容遅延時間(Packet Delay Budget)、パケット誤り率等のサービス品質(ＱｏＳ：Quality of Service)の目標値を設定することが想定されている。
【０００５】
ここで、ＬＴＥにおいて下りリンクの送信電力を設定する方法について説明する。ＣＱＩ(Channel Quality Indicator)の測定や復調のためのチャネル推定等に用いられるＲＳ(Reference Signal)の送信電力は、全ユーザに対して共通に設定される。これに対し、ユーザデータの送信のための物理チャネルであるＰＤＳＣＨ(Physical Downlink Shared CHannel、物理下りリンク共有チャネル)の送信電力は、非特許文献１に記載される通り、ＲＳの電力に対する比(送信電力オフセット)としてユーザ毎に設定できる。ＬＴＥにおいて、送信電力オフセット値は、決められたセット（3, 2, 1, 0, -1, -2, -3, -6 dB）の内から選択される。
【先行技術文献】
【特許文献】
【０００６】
【特許文献１】特開平７−９５１５１号公報
【非特許文献】
【０００７】
【非特許文献１】３ＧＰＰ ＴＳ ３６．２１３、"Ｅｖｏｌｖｅｄ Ｕｎｉｖｅｒｓａｌ Ｔｅｒｒｅｓｔｒｉａｌ Ｒａｄｉｏ Ａｃｃｅｓｓ (Ｅ−ＵＴＲＡ); Ｐｈｙｓｉｃａｌ ｌａｙｅｒ ｐｒｏｃｅｄｕｒｅｓ (Ｒｅｌｅａｓｅ ９)"、Ｖ９．３．０、２０１０−０９、Ｓｅｃｔｉｏｎ ５．２、ｐ.１５
【発明の概要】
【発明が解決しようとする課題】
【０００８】
しかしながら、本願発明者は、ＬＴＥのようにパケット交換方式を採用するシステムでの送信電力制御に際しては、サービス品質を満足しながら省電力効果を得ることが困難であるという課題を発見した。具体的には、複数ユーザでチャネルが共用されるため、同じ受信レベルであっても、パケット交換サービスでは達成できるスループットが異なる。このため、パケット無線通信に特許文献１に記載されるような所要受信レベルを基準とした送信電力設定方法を適用すると、サービス品質が低下してしまう。
【０００９】
従って、本発明の目的は、パケット無線通信において、サービス品質を満足しながら省電力化を図ることにある。
【課題を解決するための手段】
【００１０】
上記の目的を達成するため、本発明の第１の態様に係る基地局は、無線通信により、移動局に対するパケット伝送を行う伝送手段と、無線通信路品質と、前記パケット伝送に際しての所要サービス品質との対応関係を示す関数を、自局に生じ得る通信負荷毎に記憶する記憶手段と、前記通信負荷を測定する測定手段と、前記関数と前記通信負荷を用いて、予め定められたサービス品質を達成するのに必要な無線通信路品質の基準値を算出する算出手段と、前記パケット伝送に際して割り当て可能な第１の送信電力を算出すると共に、前記第１の送信電力で前記基準値を満足できる場合、前記基準値を満足でき且つ前記第１の送信電力よりも小さい第２の送信電力を設定する設定手段とを備える。
【００１１】
また、本発明の第２の態様に係る送信電力設定方法は、無線通信による基地局から移動局へのパケット伝送に際して、送信電力を設定する方法を提供する。この方法は、無線通信路品質と、前記パケット伝送に際しての所要サービス品質との対応関係を示す関数を、前記基地局に生じ得る通信負荷毎に記憶し、前記通信負荷を測定し、前記関数と前記通信負荷を用いて、予め定められたサービス品質を達成するのに必要な無線通信路品質の基準値を算出し、前記パケット伝送に際して割り当て可能な第１の送信電力を算出し、前記第１の送信電力で前記基準値を満足できる場合、前記基準値を満足でき且つ前記第１の送信電力よりも小さい第２の送信電力を設定することを含む。
【００１２】
さらに、本発明の第３の態様に係る制御プログラムは、無線通信により移動局に対するパケット伝送を行うに際して、送信電力を設定する基地局に、無線通信路品質と、前記パケット伝送に際しての所要サービス品質との対応関係を示す関数を、前記基地局に生じ得る通信負荷毎に記憶する処理と、前記通信負荷を測定する処理と、前記関数と前記通信負荷を用いて、予め定められたサービス品質を達成するのに必要な無線通信路品質の基準値を算出する処理と、前記パケット伝送に際して割り当て可能な第１の送信電力を算出する処理と、前記第１の送信電力で前記基準値を満足できる場合、前記基準値を満足でき且つ前記第１の送信電力よりも小さい第２の送信電力を設定する処理とを実行させる。
【発明の効果】
【００１３】
本発明によれば、パケット無線通信において、サービス品質を満足しながら省電力化を図ることが可能である。
【図面の簡単な説明】
【００１４】
【図１】本発明の実施の形態１に係る基地局の構成例を示したブロック図である。
【図２】本発明の実施の形態１に係る基地局の全体動作例を示したフローチャート図である。
【図３】本発明の実施の形態１における、ＰＤＳＣＨの送信電力更新タイミングと送信電力オフセットの更新タイミングとの間の関係を示したタイムチャート図である。
【図４】本発明の実施の形態１に用いるデータベースの構成例を示した図である。
【図５】本発明の実施の形態１におけるＳＩＮＲ基準値の算出手順を示したフローチャート図である。
【図６】本発明の実施の形態１におけるＳＩＮＲ基準値算出の具体例を示した図である。
【図７】本発明の実施の形態１において、目標値に対応するＳＩＮＲが存在しない場合のＳＩＮＲ基準値算出の具体例を示した図である。
【図８】本発明の実施の形態１において、目標値に対応するＳＩＮＲが複数存在する場合のＳＩＮＲ基準値算出の具体例を示した図である。
【図９】本発明の実施の形態１に係る基地局における、送信電力オフセットの更新動作例を示したフローチャート図である。
【図１０】本発明の実施の形態１における、パケット毎のＳＩＮＲ算出の一例を示した図である。
【図１１】本発明の実施の形態１における、スループット情報のサブセット番号判定例を示した図である。
【図１２】本発明の実施の形態１に用いるデータベースの作成手順の一例を示した図である。
【図１３】本発明の実施の形態２に係る基地局の構成例を示したブロック図である。
【図１４】本発明の実施の形態２に係る基地局の動作例を示したフローチャート図である。
【図１５】本発明の実施の形態３に係る基地局の構成例を示したブロック図である。
【図１６】本発明の実施の形態３に係る基地局の動作例を示したフローチャート図である。
【図１７】本発明の実施の形態３に用いるデータベースの一例を示した図である。
【図１８】回線交換方式を採用する一般的な基地局における、送信電力の設定動作例を示したフローチャート図である。
【発明を実施するための形態】
【００１５】
以下、本発明に係る基地局及びこれを適用する無線通信システムの実施の形態１〜３を、図１〜図１７を参照して説明する。なお、各図面において、同一要素には同一の符号が付されており、説明の明確化のため、必要に応じて重複説明は省略される。
【００１６】
各実施の形態の説明に際しては、ＬＴＥの下りリンクを一例として扱う。ＬＴＥの下りリンクでは、無線アクセス方式としてＯＦＤＭＡ(Orthogonal Frequency Division Multiple Access)が適用される。また、各実施の形態では、周波数の割り当て単位をＲＢ(Resource Block)とする。
【００１７】
[実施の形態１]
図１に示すように、本実施の形態に係る無線通信システムは、基地局１００と、移動局２００とを含む。基地局１００及び移動局２００は、無線回線を介して接続されている。なお、図示を省略するが、基地局１００は複数の移動局と接続できる。また、基地局１００は、ネットワークを介して、他の基地局と接続することもできる。
【００１８】
この内、本実施の形態に係る基地局１００は、送信バッファ１０１と、無線リソース割当部１０２と、通信負荷測定部１０３と、スループットデータベース１０４と、ＳＩＮＲ基準値算出部１０５と、送信電力設定部１０６とを含む。
【００１９】
送信バッファ１０１は、ネットワークから到着したパケットを、そのサイズや到着時刻等の管理情報と共に、ユーザ毎に蓄積する。なお、本実施の形態では、パケットがＲＬＣ(Radio Link Control) ＳＤＵ(Service Data Unit)であるとする。
【００２０】
無線リソース割当部１０２は、リソース割り当て機能と、送受信機能とを含む。
【００２１】
無線リソース割当部１０２は、移動局２００から報告されるＲＢ毎のＣＱＩを受信し、そのＣＱＩに基づいて、移動局２００における受信ＳＩＮＲ(Signal to Noise plus Interference Ratio)を推定する。無線リソース割当部１０２は、推定結果に基づいて、割り当てるリソース（ＲＢ数とＭＣＳ(Modulation and Coding Scheme)）を決定する。また、無線リソース割当部１０２は、ＲＢ毎のＳＩＮＲから、移動局に割り当てたＲＢの平均ＳＩＮＲを算出すると共に、その算出結果を、実効SINRの推定値（SINRest_inst(u)）として移動局毎に保持し、通信路品質として用いる。ここで、uは移動局の識別番号を示す。
【００２２】
また、無線リソース割当部１０２は、割り当てたリソースと送信電力設定部106から通知されるＰＤＳＣＨの送信電力値とに基づいて、送信バッファ１０１中のデータを送信ブロックとして無線信号により移動局２００へ送信する。
【００２３】
また、無線リソース割当部１０２は、送信バッファ１０１に蓄積されたパケットの送信先になっている移動局数(以下、スケジューリング対象ユーザ数(NUE_inst）と呼称する)を、基地局１００における通信負荷として測定する。
【００２４】
また、無線リソース割当部１０２は、予め設定されたサービスクラス(トラヒック)に応じたパケットスループットの目標値(Thtarget)をＳＩＮＲ基準値算出部１０５へ通知する一方、ＲＳの送信電力値(PRS(Watt))を送信電力設定部１０６へ通知する。なお、Thtarget及びPRSは、ネットワークから無線リソース割当部１０２へ通知される。
【００２５】
さらに、無線リソース割当部１０２は、送信電力設定部１０６から通知される送信電力オフセットを移動局２００へ通知する。ここで、送信電力オフセットとは、ＲＳの送信電力に対するＰＤＳＣＨの送信電力の比である。
【００２６】
通信負荷測定部１０３は、無線リソース割当部１０２で測定されたNUE_instを読み出し、NUE_instの平均値(以下、平均スケジューリング対象ユーザ数(NUE_ave))を計算し、NUE_aveをSINR基準値算出部１０５へ通知する。
【００２７】
スループットデータベース１０４には、スケジューリング対象ユーザ数毎に、ＳＩＮＲに対して期待されるパケットスループットの値のリストが保持されている。
【００２８】
ここで、パケットスループットとは、サービス品質の指標の一つであり、パケット当たりの実効伝送速度を表す。このパケットスループット(Thtarget)は、送信が完了したパケットのサイズ(Binfo)と、パケットの到着時刻(tarrived)と、パケット受信完了時刻(ｔdelivered)とを用いて、下記の式(１)から算出できる。パケット受信完了時刻は、そのパケットに関するＡＣＫ(ACKnowledgement、パケット受信完了を知らせる信号)を最後に受信した時刻とする。
【００２９】
【数１】
2013118512.tif 000003
【００３０】
SINR基準値算出部１０５は、スループットデータベース１０４からNUE_aveに該当するＳＩＮＲとパケットスループットとの対応関係を選択し、その対応関係からThtargetに対応するＳＩＮＲをＳＩＮＲ基準値(SINRThmin_req)として読み出し、送信電力設定部１０６へ通知する。
【００３１】
送信電力設定部１０６は、無線リソース割当部１０２から移動局毎に実効ＳＩＮＲの推定値(SINRest_inst(u))を読み出し、SINRest_inst(u)の所定期間における平均値SINRest_ave(u)を算出する。
【００３２】
また、送信電力設定部１０６は、SINRThmin_reqとSINRest_ave(u)とＲＳの送信電力値(PRS(Watt))に基づいて、送信電力オフセットを算出する。送信電力設定部１０６は、算出した送信電力オフセットとＲＳの送信電力値(PRS(Watt))を用いて、ＰＤＳＣＨの送信電力値(PPDSCH)を算出し、送信電力オフセットとＰＤＳＣＨの送信電力値(PPDSCH)を無線リソース割当部１０２へ通知する。
【００３３】
一方、移動局２００は、送受信部２０１と、チャネル品質測定部２０２とを含む。
【００３４】
送受信部２０１は、無線通信システムにおいて一般的に用いられる移動局と同等の機能を有しており、その構成及び動作については周知であるのでその説明を省略する。本実施の形態では、送受信部２０１は、基地局１００から受信したＲＳや送信電力オフセットのチャネル品質測定部２０２への通知や、ＡＣＫ情報やチャネル品質測定部２０２から通知されるチャネル品質情報の基地局１００への報告などを行う。
【００３５】
チャネル品質測定部２０２は、ＲＳのチャネル品質を測定し、そのＲＳのチャネル品質に送受信部２０１から通知された送信電力オフセットを加算した値をＰＤＳＣＨのチャネル品質推定値として測定する。チャネル品質測定部２０２は、ＰＤＳＣＨのチャネル品質推定値を、送受信部２０１へチャネル品質情報として報告する。本実施の形態では、チャネル品質としてＳＩＮＲを、チャネル品質情報としてＣＱＩを用いる。ＣＱＩはＳＩＮＲからルックアップテーブルを参照して計算できる。一般的には、このルックアップテーブルは物理レイヤを模擬したリンクレベルシミュレーションにより作成する。なお、ルックアップテーブルの詳細については、例えば3GPP TS 36.213、V9.0.0、2009-12、pp.26-33に記載されている。
【００３６】
本実施の形態では、ＰＤＳＣＨのチャネル品質推定値の測定を移動局２００で行うようにしたが、この測定は基地局１００で行うようにしても良いい。この場合、移動局２００は、ＲＳのチャネル品質を、チャネル品質情報(ＣＱＩ)として基地局１００へ報告する。一方、基地局１００は、まずルックアップテーブルを参照してチャネル品質情報からＲＳのチャネル品質を推定し、その推定値に送信電力オフセットを加算した値をＰＤＳＣＨのチャネル品質推定値として測定する。ここで用いるルックアップテーブルも、一般的に物理レイヤを模擬したリンクレベルシミュレーションにより作成する。
【００３７】
次に、本実施の形態の動作を、図２〜図１２を参照して詳細に説明する。
【００３８】
図２は、基地局１００の全体動作例を示している。基地局１００は、図２に示す処理を、ＴＴＩ(Transmission Time Interval)毎に行う。ＴＴＩは送信ブロックの送信間隔である。
【００３９】
具体的には、無線リソース割当部１０２は、送信バッファ１０１内のデータの有無を確認する(ステップＳ１１)。データが有れば、基地局１００は、ステップＳ１２へ進んで、ＰＤＳＣＨ送信電力の更新周期であるか否かを判定する。一方、データが無ければ、基地局１００は、ステップＳ１５へ進んで、平均スケジューリング対象ユーザ数(NUE_ave)を更新する。
【００４０】
次に、ステップＳ１２では、基地局１００は、現在の時刻がＰＤＳＣＨ送信電力の更新周期であるかを確認する。更新周期であれば、基地局１００は、ステップＳ１３へ進んで、ＰＤＳＣＨ送信電力を更新する。一方、更新周期でなければ、基地局１００は、ステップＳ１４へ進んで、無線リソースを割り当てる。
【００４１】
次に、ステップＳ１３では、送信電力設定部１０６が、ＰＤＳＣＨの送信電力を更新する。
【００４２】
ここで、ＰＤＳＣＨ送信電力の更新タイミングについて説明する。図３に、本実施の形態におけるＰＤＳＣＨ送信電力の更新タイミングと、送信電力オフセットの更新タイミングとの間の関係を示す。
【００４３】
送信電力設定部１０６は、送信電力オフセットの更新時に、送信電力オフセットを無線リソース割当部１０２を介して移動局２００へ通知する。移動局２００は、ＲＳのチャネル品質に通知された送信電力オフセットを加算した値を用いてＣＱＩを計算し、基地局１００へ報告する。従って、PDSCHの送信電力の更新は、基地局１００が、更新後の送信電力オフセットを用いて計算されたＣＱＩを用いてリソース割り当てを行うタイミングに実施する。本実施の形態では、送信電力オフセットを通知した時点から、更新後の送信電力オフセットを用いて計算されたＣＱＩを用いてリソース割当を行うまでの遅延時間をＤと定義する。
【００４４】
この場合、現時刻ｔにおけるＰＤＳＣＨの送信電力PPDSCHは、下記の式(２)に従って算出できる。
【００４５】
【数２】
2013118512.tif 000004
【００４６】
ここで、上記の式(２)中、ΔP(t)は時刻ｔにおける送信電力オフセット値である。時刻ｔにおけるＰＤＳＣＨ送信電力の算出に際しては、ｔ-Ｄ以前に通知した最新のΔPを用いる。なお、送信電力オフセットの初期値ΔP（0）は"０ｄＢ"とする。
【００４７】
次に、ステップＳ１４では、無線リソース割当部１０２が、下りリンクの無線リソース割当を決定する。無線リソース割当部１０２は、移動局２００から報告されたＣＱＩを用いて、スケジューリング対象となる全ての移動局について、ＲＢのＳＩＮＲを計算する。次に、計算したＳＩＮＲを用いて、各移動局への割当リソース(ＲＢ数とＭＣＳ)を決定する。
【００４８】
ここで、割り当てるＲＢ数とＭＣＳについて説明する。無線リソース割当部１０２は、割り当て可能なＲＢの中から、送信データサイズ(ＴＢＳ: Transport Block Size)が最大となるＲＢを割り当てる。ＴＢＳは、ルックアップテーブルを参照して、ＴＢＳインデックスとＲＢ数を用いて計算できる。ＴＢＳインデックスは、ルックアップテーブルを参照して、ＭＣＳインデックスから一意に決定できる。ＭＣＳインデックスは、ルックアップテーブルを参照して、実効ＳＩＮＲの推定値(SINRest_inst(u))を用いて計算できる。一般的には、このルックアップテーブルは物理レイヤを模擬したリンクレベルシミュレーションにより作成する。また、SINRest_inst(u) は、ルックアップテーブルを参照して、ＣＱＩを用いて計算できる。一般的には、このルックアップテーブルも物理レイヤを模擬したリンクレベルシミュレーションにより作成する。
【００４９】
次に、ステップＳ１５では、通信負荷測定部１０３が、無線リソース割当部１０２から瞬時スケジューリング対象ユーザ数NUE_instを読み出し、下記の式(３)に従って平均スケジューリング対象ユーザ数NUE_aveを更新する。
【００５０】
【数３】
2013118512.tif 000005
【００５１】
ここで、上記の式(３)中、nはＰＤＳＣＨの送信単位であるサブフレームの番号を示し、NUE_ave(n)及びNUE_inst(n)は、それぞれ、第n番目のサブフレームにおける平均スケジューリング対象ユーザ数および瞬時スケジューリング対象ユーザ数を示している。なお、NUE_aveは、送信電力オフセットの更新周期毎にＳＩＮＲ基準値設定部１０５へ通知された後、"０"にリセットされる。
【００５２】
次に、ステップＳ１６では、基地局１００は、現在時刻が送信電力オフセットの更新周期であるかを確認する。送信電力オフセットの更新周期であれば、基地局１００は、ステップＳ１７へ進んで、ＳＩＮＲ基準値(SINRThmin_req)を算出する。一方、送信電力オフセットの更新周期でなければ、基地局１００は、ステップＳ１９へ進んで、下りリンク信号を送信する。
【００５３】
次に、ステップＳ１７では、 ＳＩＮＲ基準値算出部１０５が、ＳＩＮＲ基準値(SINRThmin_req)を算出する。
【００５４】
まず、ＳＩＮＲ基準値(SINRThmin_req)の算出に用いるスループットデータベース１０４について詳細に説明する。図４に、本実施の形態で用いるスループットデータベース１０４の構成例を示す。
【００５５】
図４中、左側のグラフは、通信負荷(本実施の形態では、平均スケジューリング対象ユーザ数を通信負荷としている)毎のパケットの平均ＳＩＮＲによって期待されるパケットスループットの関係を示している。各対応関係のカーブをサブセットと呼ぶことにする。NUE_idxはサブセット番号を示しており、スケジューリング対象ユーザ数に対応している。サブセット番号が大きいほど通信負荷が高いとする。本実施の形態では、サブセット番号と平均スケジューリング対象ユーザ数は一致する。
【００５６】
図４中、右側に示すスループットデータベース１０４は、左側のグラフを数値化して得たテーブルである。図４の例では、パケットの平均ＳＩＮＲの範囲を"−１０ｄＢ"から"３０ｄＢ"とし、平均ＳＩＮＲの刻み幅を"１ｄＢ"としている。データベース１０４は、このＳＩＮＲに対応するパケットスループットの値を、通信負荷毎に保持している。スループットデータベース１０４の作成手順については後述する。
【００５７】
次に、ＳＩＮＲ基準値(SINRThmin_req)の算出手順を、図５を参照して説明する。
【００５８】
ＳＩＮＲ基準値算出部１０５は、上記のステップＳ１５で更新されたNUE_aveに対して下記の式(４)に示す判定を施し、これにより得られたサブセット番号NUE_idxに一致するサブセット(ＳＩＮＲによって期待されるパケットスループットの関係)をSINR基準値データベースから選択する(ステップＳ２１)。ここで、下記の式(４)中、Nmaxはサブセット番号の最大値を示しており、本実施の形態では"１０"とする。
【００５９】
【数４】
2013118512.tif 000006
【００６０】
そして、ＳＩＮＲ基準値算出部１０５は、選択したサブセットから、パケットスループットの目標値(Thtarget)に対応するＳＩＮＲをＳＩＮＲ基準値(SINRThmin_req)として算出する(ステップＳ２２)。
【００６１】
図６に、SINRThmin_req算出の具体例を示す。今、平均スケジューリング対象ユーザ数NUE_aveが"３"、Thtargetが"８０ｋｂｐｓ"であるとする。この場合、ＳＩＮＲ基準値算出部１０５は、上記の式(４)に従ってNUE_aveを判定し、以てサブセット番号NUE_idx＝"３"を得る。この時、ＳＩＮＲ基準値算出部１０５は、NUE_idx＝"３"のサブセット(図４中、"■"でプロットされたデータ群)を選択する。選択したサブセットにおいて"８０ｋｂｐｓ"に対応するＳＩＮＲは"１０ｄＢ"である。このため、ＳＩＮＲ基準値算出部１０５は、SINRThmin_reqとして"１０ｄＢ"を選択する。
【００６２】
ここで、データベース１０４では、所定ＳＩＮＲに対するパケットスループットの値のみが保持されている。このため、図７に示すように、目標値(Thtarget)に一致するＳＩＮＲが所定ＳＩＮＲ範囲(図示の例では、"５ｄＢ"と"６ｄＢ"の間）に存在する場合がある。この場合、ＳＩＮＲ基準値算出部１０５は、Thtargetの達成確率を上げるため、所定ＳＩＮＲの内で高い方のＳＩＮＲ(図示の例では"６ｄＢ")を選択する。
【００６３】
また、データベース作成のためのサンプル数が少ない場合には、図８に示すように、目標値(Thtarget)に対応するＳＩＮＲが複数存在することがある。この場合、ＳＩＮＲ基準値算出部１０５は、Thtargetの達成確率を上げるため、目標値(Thtarget)に対応するＳＩＮＲの最大値をSINRThmin_reqとして選択する。また、Thtargetが、データベース１０４におけるパケットスループットの最小値よりも低い場合、ＳＩＮＲ基準値算出部１０５は、データベース１０４中のＳＩＮＲの最小値をSINRThmin_reqとして選択する。
【００６４】
本実施の形態では、データベース１０４(テーブル)を用いてSINRThmin_reqを算出しているが、本発明はこれに限定され無い。例えば、データベース１０４を一次近似して得たパケットスループットの関数を用いて、SINRThmin_reqを算出しても良い。
【００６５】
図２に戻って、ステップＳ１８では、送信電力設定部１０６が、各移動局の送信電力オフセットを更新する。そして、ステップＳ１９では、無線リソース割当部１０２が、送信電力設定部１０６から通知された送信電力オフセットと共に、データ信号等を各移動局へ送信し、処理を終了する。
【００６６】
図９を参照して、上記のステップＳ１８での送信電力オフセットの更新動作を具体的に説明する。
【００６７】
まず、送信電力設定部１０６は、全ての移動局について送信電力オフセットの更新が完了したか否かを確認する(ステップＳ３１)。完了していなければ、送信電力設定部１０６は、ステップＳ３２に進んで、送信電力オフセットが未更新の移動局を選択する。一方、完了していれば、送信電力設定部１０６は、送信電力オフセットの更新に係る処理を終了する。
【００６８】
ステップＳ３２では、送信電力設定部１０６は、送信電力オフセットが未更新の移動局を選択する。例えば、送信電力設定部１０６は若番の移動局から順に選択する。
【００６９】
次に、ステップＳ３３では、送信電力設定部１０６は、選択した移動局に対して、ＰＤＳＣＨをＲＳと同じ電力値(送信電力オフセット＝"０ｄＢ"）で送信した場合の実効ＳＩＮＲの推定値の平均値(SINRRSest_ave)を算出する。SINRRSest_aveは、無線リソース割当部１０２が保持している移動局毎の実効SINRの推定値(SINRest_inst(u))に、現在設定されている送信電力オフセットΔPiを加算し、この加算後のＳＩＮＲ（x=SINRest_inst(u)+ΔPiとする）の真値(10x/10)を更新周期間で平均化した値とする。ここで、iは送信電力オフセットに対応する番号を示している。ＬＴＥでは、上述した通り、送信電力オフセット値として3, 2, 1, 0, -1, -2, -3, -6dBの８つが規定されているが、本実施の形態では、消費電力を低減するため、0, -1, -2, -3, -6dBの５つを用いる。
【００７０】
次に、ステップＳ３４では、送信電力設定部１０６は、SINRRSest_aveがＳＩＮＲ基準値(SINRThmin_req)以上であるか否かを判定する。SINRRSest_aveがSINRThmin_req 以上であれば、送信電力設定部１０６は、ステップＳ３６へ進んで、送信電力オフセットを選択する。一方、SINRRSest_aveがSINRThmin_req未満であれば、送信電力設定部１０６は、送信電力オフセット値を"０ｄＢ"に設定して、送信電力オフセットの更新に係る処理を終了する(ステップＳ３５)。
【００７１】
ステップＳ３６では、送信電力設定部１０６は、送信電力オフセットを選択する。具体的には、まず、送信電力設定部１０６は、５つの送信電力オフセットの中から、SINRRSest_aveに対して、送信電力オフセット(ΔPi)分の電力を下げた時の移動局での受信ＳＩＮＲ推定値(SINRRSest_av+ΔPi)を算出する。送信電力設定部１０６は、算出した受信ＳＩＮＲ推定値(SINRRSest_av+ΔPi)がSINRThmin_req以上となる送信電力オフセットを候補とし、候補の中から最小のΔPiを選択する。
【００７２】
最後に、スループットデータベース１０４の作成手順を、図１０〜図１２を参照して詳細に説明する。
【００７３】
まず、基地局１００は、データベース１０４を作成するためのデータを取得し、次に取得したデータから平均パケットスループットを算出する。
【００７４】
取得するデータは、上記の式(１)に示したパケットスループット(Thpacket)と、パケットの平均ＳＩＮＲ(SINRpacket)と、平均スケジューリング対象ユーザ数(NUE_packet)の３つである。これら３つのデータのセットを、以降、スループット情報と呼ぶ。
【００７５】
SINRpacketは、１パケットを複数の送信ブロックで送信した時の各送信ブロックの実効SINRの推定値(SINRest_inst)を真値で単純に平均した値である。同様に、NUE_packetは、１パケットを複数の送信ブロックで送信した時の各送信ブロック送信時の瞬時スケジューリング対象ユーザ数を単純に平均した値である。
【００７６】
ここで、パケットとSINRpacketの関係について図１０を参照して説明する。図１０は、パケットと下位レイヤの送信ブロックとの対応関係の一例を示している。パケットは、送信単位に分割され下位レイヤに転送される。図１０ではヘッダ情報等の表示は省略している。
【００７７】
スループットはパケット毎に算出するのに対して、実効SINR推定値(SINRest_inst(u)に対応)は送信ブロック毎に算出する。パケットの番号を＃ｒ１〜＃ｒ３とし、送信ブロックの番号を＃ｍ１〜＃ｍ５とする。また、送信ブロック＃ｍ１〜＃ｍ５についてそれぞれ測定されたSINRest_inst(u)をＳＩＮＲ１〜ＳＩＮＲ５とする。パケット＃ｒ１は、２つの送信ブロック♯ｍ１及び＃ｍ２に分割されている。このため、基地局１００は、ＳＩＮＲ１及びＳＩＮＲ２の平均値を、パケット＃ｒ１の平均ＳＩＮＲ(SINRpacket)として算出する。パケット＃ｒ２及び＃ｒ３についても、平均ＳＩＮＲ(SINRpacket)が同様に算出される。図１０ではパケットが分割される例を示したが、複数パケットが結合して送信ブロックを形成する場合もある。
【００７８】
次に、基地局１００は、取得したスループット情報を、スケジューリング対象ユーザ数毎に分類する。具体的には、基地局１００は、NUE_packetを下記の式(５)に従って判定し、以て対応するサブセット番号NUE_idxを求める。ここで、Nmaxはサブセット番号の最大値を示しており、本実施の形態では"１０"とする。
【００７９】
【数５】
2013118512.tif 000007
【００８０】
なお、本実施形態では、データベース１０４における平均スケジューリング対象ユーザ数の分解能を１ユーザとして、上記の式(５)を判定式に用いたが、これに限定されるものでは無い。データベースを記憶するためのメモリ量とデータベースの精度はトレードオフの関係にあるため、装置のメモリ量や要求される精度に応じて、刻み幅や最大値を決める。
【００８１】
図１１に、平均スケジューリング対象ユーザ数(NUE_packet)を上記の式(５)で判定した結果を示す。図１１に示すテーブル中の３列目の値を上記の式(５)で判定した結果が、同テーブル中の４列目の値となる。
【００８２】
次に、基地局１００は、サブセット番号NUE_idxに対応するデータ毎に、所定ＳＩＮＲ範囲におけるパケットスループットの平均値を算出する。本実施の形態では、ＳＩＮＲの範囲が"−１０ｄＢ"から"３０ｄＢ"で、ＳＩＮＲの刻み幅が"１ｄＢ"であるデータベースを作成する。データベースにおける第j番目のＳＩＮＲ値(SINRref(j))に対するパケットスループット値(Thref(j))は、下記の式(６)に示す範囲に含まれるパケットスループット(Thpacket)の平均値を算出して求める。
【００８３】
【数６】
2013118512.tif 000008
【００８４】
本実施の形態では、jは"０"から"４０"の値を呈し、j＝"０"が最小値(SINRref(j)＝"−１０ｄＢ"）でj＝"４０"が最大値(SINRref(j)＝"３０ｄＢ")であるとする。
【００８５】
図１２に、データベースの作成手順を示す。図１２のグラフ中、白抜きのプロットは、一例としてサブセット番号＝"１"のサンプルデータを示している。また、"▲"でプロットされたデータ群は、所定ＳＩＮＲ範囲内でパケットスループットを平均した値であり、この値がデータベースに用いる値となる。例えば、"２ｄＢ"のＳＩＮＲに対応するスループット値は、対応するサブセットの平均ＳＩＮＲ(SINRpacket)が"１．５ｄＢ"を超え且つ"２．５ｄＢ"以下の範囲内のパケットスループットの平均値である。このようにして求めた平均値を用いて、図４と同様のスループットデータベース１０４を得る。なお、本実施の形態では、データベースの値として、所定ＳＩＮＲ範囲におけるパケットスループットの平均値を用いたが、これに限るものではない。所定ＳＩＮＲ範囲におけるパケットスループットの累積分布関数を作成し、そのｐ％(０＜ｐ≦１００)に対応するパケットスループット値をデータベースの値として用いても良い。例えばｐ＝"１０"とした場合、所定のＳＩＮＲに対して、９０％の確率でパケットスループットの目標値を達成可能な値を算出することになる。
【００８６】
以上説明した通り、本実施の形態によれば、パケット無線通信において、スループットを満足しながら省電力効果を最大化できる。また、送信電力を抑えることで、隣接セルのチャネル品質改善できるため、隣接セルのスループットを改善することもできる。
【００８７】
なお、本実施の形態では、チャネル品質として、ＲＢ毎のＳＩＮＲから、移動局に割り当てたＲＢについて平均して得た実効ＳＩＮＲを用いたが、これに限るものではない。システムが割り当てることができる全ＲＢのＳＩＮＲを平均したワイドバンドＳＩＮＲを用いても良い。また、平均ＳＩＮＲを計算する際の平均化手法としてＳＩＮＲの真値を平均したが、これに限るものではない。ＳＩＮＲのｄＢ真値を平均しても良い。さらに、チャネル品質としてＣＱＩを用いても良い。
【００８８】
[実施の形態２]
本実施の形態では、スループットデータベース１０４を所定周期で更新する。以下、上記の実施形態１との差異を説明する。
【００８９】
図１３に示すように、本実施の形態に係る基地局１００Ａは、図１に示した基地局１００の構成に加えて、データベース更新部１０７を設けた点で上記の実施形態１と異なる。
【００９０】
データベース更新部１０７は、送信バッファ１０１中の管理情報からパケット到着時刻とパケットサイズを読み出す。また、データベース更新部１０７は、無線リソース割当部１０２から通知されるパケット受信完了時刻と、送信バッファ１０１から読み出したパケット到着時刻及びパケットサイズから、上記の式(１)で定義したパケットスループット(Thpacket)を算出する。
【００９１】
また、データベース更新部１０７は、無線リソース割当部１０２から実効ＳＩＮＲの推定値(SINRest_inst(u))と瞬時スケジューリング対象ユーザ数(NUE_inst)を読み出し、パケットの平均ＳＩＮＲ(SINRpacket)と平均スケジューリング対象ユーザ数(NUE_packet)を算出する。
【００９２】
さらに、データベース更新部１０７は、算出したThpacket、SINRpacket、及びNUE_packetの３つのスループット情報を用いて、スループットデータベース(Aupdate)を作成すると共に、スループットデータベース１０４をAupdateに更新する。
【００９３】
次に、本実施の形態の動作を、図１４を参照して説明する。図１４においては、図２に示したステップＳ１１〜Ｓ１９の処理に加えて、ステップＳ４１〜Ｓ４４の処理が追加されている。以下、追加された処理について説明する。
【００９４】
ステップＳ４１では、データベース更新部１０７が、移動局から基地局１００Ａに通知される送信ブロック毎のＡＣＫ情報から、パケットの送信が完了したか否かを判断する。送信が完了したパケットが存在すれば、データベース更新部１０７は、ステップＳ４２に進んで、スループット情報を算出する。一方、送信が完了したパケットが存在しなければ、基地局１００Ａは、上記のステップＳ１５に進んで、平均スケジューリング対象ユーザ数を更新する。
【００９５】
ステップＳ４２では、データベース更新部１０７が、上記の実施の形態１で説明した手順でスループット情報(パケットスループット(Thpacket)、パケットの平均ＳＩＮＲ(SINRpacket)、及び平均スケジューリング対象ユーザ数(NUE_packet))を算出する。
【００９６】
ステップＳ４３では、データベース更新部１０７が、現在時刻がデータベースの更新周期か否かを判定する。データベースの更新周期であれば、データベース更新部１０７は、ステップＳ４４へ進んで、スループットデータベース１０４を更新する。データベースの更新周期でなければ、基地局１００Ａは、上記のステップＳ１６に進んで、送信電力オフセットの更新周期に係る判定を行う。
【００９７】
ステップＳ４４では、データベース更新部１０７は、スループットデータベース１０４を更新する。まず、データベース更新部１０７は、データベース更新周期内に測定(算出)したスループット情報をもとに、上記の実施形態１で説明した手順で、スループットデータベース(Aupdate)を作成する。そして、データベース更新部１０７は、スループットデータベース１０４をAupdateに更新する。
【００９８】
本実施の形態によれば、直近の移動局分布等の環境の変化を考慮したデータベースを用いた電力設定が可能になり、以て送信電力制御の精度が更に向上する。
【００９９】
[実施の形態３]
図１５に示すように、本実施の形態に係る基地局１００Ｂは、図１に示したスループットデータベース１０４に代えて、送信遅延時間データベース１０８を設けた点で上記の実施形態１と異なる。
【０１００】
送信遅延時間データベース１０８には、スケジューリング対象ユーザ数毎に、ＳＩＮＲに対して期待される送信遅延時間のリストが保持されている。また、無線リソース割当部１０２は、予め設定されたサービスクラス(トラヒック)に応じた送信遅延時間の目標値(Dtarget)をＳＩＮＲ基準値算出部１０５へ通知する。換言すると、本実施の形態では、サービス品質として送信遅延時間を用いる。
【０１０１】
次に、本実施の形態の動作を、図１６及び図１７を参照して説明する。図１６においては、図２に示したステップＳ１７の処理に代えて、ステップＳ５１の処理が追加されている。以下、追加された処理について説明する。
【０１０２】
ステップＳ５１では、ＳＩＮＲ基準値算出部１０５が、SINR基準値(SINRDelaymin_req)を算出する。SINRDelaymin_reqは、図５と同様の手順で算出される。但し、ＳＩＮＲ基準値算出部１０５は、平均スケジューリング対象ユーザ数(ＮUE_ave)を上記の式(４)に従い判定して得られるサブセット番号NUE_idxに一致するサブセットを、送信遅延時間データベース１０８から選択する。
【０１０３】
送信遅延時間データベース１０８の作成手順について説明する。送信遅延時間データベース１０８は、パケットの送信遅延時間(Dpacket)、パケットの平均ＳＩＮＲ(SINRpacket)、及び平均スケジューリング対象ユーザ数(NUE_packet)から成る送信遅延時間情報を用いて作成される。ここで、送信遅延時間情報は、上記の実施の形態１で用いたスループット情報中のパケットスループットに代えて、送信遅延時間を含む情報である。なお、送信遅延時間データベース１０８は、送信遅延時間に代えて、送信遅延時間の移動局毎の平均値や累積分布関数等の統計値を用いて作成しても良い。
【０１０４】
送信遅延時間(Dpacket)は、パケットの到着時刻(tarrived)とパケット受信完了時刻(tdelivered)を用い、下記の式（７）に従って算出できる。
【０１０５】
【数７】
2013118512.tif 000009
【０１０６】
図１７に、送信遅延時間データベース１０８の一例を示す。送信遅延時間は、ＳＩＮＲが大きい程に小さくなる。また、サブセット番号(NUE_idx)が大きい程(換言すると、通信負荷が高い程)、送信遅延時間の目標値に対応するＳＩＮＲが大きくなる。
【０１０７】
本実施の形態によれば、パケット無線通信において、送信遅延時間を満足しながら省電力効果を最大化できる。また、送信遅延時間の統計値を用いる場合には、ＶｏＩＰ(Voice over Internet Protocol)やゲーミング等のリアルタイムトラヒックの伝送に際してもサービス品質(ＱｏＳ)を満たしながら、省電力効果を最大化できる。
【０１０８】
なお、上記の実施の形態によって本発明は限定されるものではなく、特許請求の範囲の記載に基づき、当業者によって種々の変更が可能なことは明らかである。
【０１０９】
例えば、上記の実施の形態では、通信負荷として、送信バッファにパケットがある移動局を対象としたスケジューリング対象ユーザ数を用いたが、これに限ることは無い。例えば、基地局への同時接続ユーザ数を用いても良い。
【０１１０】
また、上記の実施の形態に示した基地局の各処理を、コンピュータに実行させるためのプログラムとして提供することもできる。この場合、プログラムは、様々なタイプの非一時的なコンピュータ可読媒体(ｎｏｎ−ｔｒａｎｓｉｔｏｒｙ ｃｏｍｐｕｔｅｒ ｒｅａｄａｂｌｅ ｍｅｄｉｕｍ)を用いて格納され、コンピュータに供給することができる。ここで、非一時的なコンピュータ可読媒体は、様々なタイプの実体のある記録媒体(ｔａｎｇｉｂｌｅ ｓｔｏｒａｇｅ ｍｅｄｉｕｍ)を含む。非一時的なコンピュータ可読媒体の例は、磁気記録媒体(例えば、フレキシブルディスク、磁気テープ、ハードディスクドライブ)、光磁気記録媒体(例えば、光磁気ディスク)、ＣＤ−ＲＯＭ(Ｒｅａｄ Ｏｎｌｙ Ｍｅｍｏｒｙ)、ＣＤ−Ｒ、ＣＤ−Ｒ／Ｗ、半導体メモリ(例えば、マスクＲＯＭ、ＰＲＯＭ(Ｐｒｏｇｒａｍｍａｂｌｅ ＲＯＭ)、ＥＰＲＯＭ(Ｅｒａｓａｂｌｅ ＰＲＯＭ)、フラッシュＲＯＭ、ＲＡＭ(Ｒａｎｄｏｍ Ａｃｃｅｓｓ Ｍｅｍｏｒｙ))を含む。プログラムは、様々なタイプの一時的なコンピュータ可読媒体(ｔｒａｎｓｉｔｏｒｙ ｃｏｍｐｕｔｅｒ ｒｅａｄａｂｌｅ ｍｅｄｉｕｍ)によってコンピュータに供給されても良い。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１１】
上記の実施の形態の一部又は全部は、以下の付記のようにも記載され得るが、以下には限られない。
【０１１２】
（付記１）
無線通信により、移動局に対するパケット伝送を行う伝送手段と、
無線通信路品質と、前記パケット伝送に際しての所要サービス品質との対応関係を示す関数を、自局に生じ得る通信負荷毎に記憶する記憶手段と、
前記通信負荷を測定する測定手段と、
前記関数と前記通信負荷を用いて、予め定められたサービス品質を達成するのに必要な無線通信路品質の基準値を算出する算出手段と、
前記パケット伝送に際して割り当て可能な第１の送信電力を算出すると共に、前記第１の送信電力で前記基準値を満足できる場合、前記基準値を満足でき且つ前記第１の送信電力よりも小さい第２の送信電力を設定する設定手段と、
を備えた基地局。
【０１１３】
（付記２）
付記１において、
前記無線通信路品質と前記サービス品質を測定すると共に、前記関数を、前記通信負荷、前記サービス品質、及び前記無線通信路品質の測定値を用いて更新する更新手段を、
更に備えたことを特徴とする基地局。
【０１１４】
（付記３）
付記１又は２において、
前記第２の送信電力は、前記基準値を満足できる最小の送信電力である、
ことを特徴とした基地局。
【０１１５】
（付記４）
付記１〜３のいずれか一つにおいて、
前記通信負荷は、パケットの送信候補となる移動局数である、
ことを特徴とした基地局。
【０１１６】
（付記５）
付記１〜３のいずれか一つにおいて、
前記通信負荷は、自局と接続中の移動局の数である、
ことを特徴とした基地局。
【０１１７】
（付記６）
付記１〜５のいずれか一つにおいて、
前記サービス品質は、パケットの伝送速度である、
ことを特徴とした基地局。
【０１１８】
（付記７）
付記１〜５のいずれか一つにおいて、
前記サービス品質は、パケットの送信遅延時間である、
ことを特徴とした基地局。
【０１１９】
（付記８）
付記１〜７のいずれか一つにおいて、
前記無線通信路品質は、信号電力に対する干渉電力及び雑音電力の比（ＳＩＮＲ：Ｓｉｇｎａｌ ｔｏ Ｉｎｔｅｒｆｅｒｅｎｃｅ ｐｌｕｓ Ｎｏｉｓｅ Ｒａｔｉｏ）である、
ことを特徴とした基地局。
【０１２０】
（付記９）
付記１〜７のいずれか一つにおいて、
前記無線通信路品質は、無線通信路品質を示すインデックス（ＣＱＩ：Ｃｈａｎｎｅｌ Ｑｕａｌｉｔｙ Ｉｎｄｉｃａｔｏｒ）である、
ことを特徴とした基地局。
【０１２１】
（付記１０）
無線通信による基地局から移動局へのパケット伝送に際して、送信電力を設定する送信電力設定方法であって、
無線通信路品質と、前記パケット伝送に際しての所要サービス品質との対応関係を示す関数を、前記基地局に生じ得る通信負荷毎に記憶し、
前記通信負荷を測定し、
前記関数と前記通信負荷を用いて、予め定められたサービス品質を達成するのに必要な無線通信路品質の基準値を算出し、
前記パケット伝送に際して割り当て可能な第１の送信電力を算出し、
前記第１の送信電力で前記基準値を満足できる場合、前記基準値を満足でき且つ前記第１の送信電力よりも小さい第２の送信電力を設定する、
ことを含む送信電力設定方法。
【０１２２】
（付記１１）
付記１０において、
前記無線通信路品質と前記サービス品質を測定し、
前記関数を、前記通信負荷、前記サービス品質、及び前記無線通信路品質の測定値を用いて更新する、
ことを更に含む送信電力設定方法。
【０１２３】
（付記１２）
付記１０又は１１において、
前記第２の送信電力として、前記基準値を満足できる最小の送信電力を設定する、
ことを特徴とした送信電力設定方法。
【０１２４】
（付記１３）
付記１０〜１２のいずれか一つにおいて、
前記通信負荷として、パケットの送信候補となる移動局数を用いる、
ことを特徴とした送信電力設定方法。
【０１２５】
（付記１４）
付記１０〜１２のいずれか一つにおいて、
前記通信負荷として、前記基地局と接続中の移動局の数を用いる、
ことを特徴とした送信電力設定方法。
【０１２６】
（付記１５）
付記１０〜１４のいずれか一つにおいて、
前記サービス品質として、パケットの伝送速度を用いる、
ことを特徴とした送信電力設定方法。
【０１２７】
（付記１６）
付記１０〜１４のいずれか一つにおいて、
前記サービス品質として、パケットの送信遅延時間を用いる、
ことを特徴とした送信電力設定方法。
【０１２８】
（付記１７）
付記１０〜１６のいずれか一つにおいて、
前記無線通信路品質として、信号電力に対する干渉電力及び雑音電力の比（ＳＩＮＲ：Ｓｉｇｎａｌ ｔｏ Ｉｎｔｅｒｆｅｒｅｎｃｅ ｐｌｕｓ Ｎｏｉｓｅ Ｒａｔｉｏ）を用いる、
ことを特徴とした送信電力設定方法。
【０１２９】
（付記１８）
付記１０〜１６のいずれか一つにおいて、
前記無線通信路品質として、無線通信路品質を示すインデックス（ＣＱＩ：Ｃｈａｎｎｅｌ Ｑｕａｌｉｔｙ Ｉｎｄｉｃａｔｏｒ）を用いる、
ことを特徴とした送信電力設定方法。
【０１３０】
（付記１９）
無線通信により移動局に対するパケット伝送を行うに際して、送信電力を設定する基地局に、
無線通信路品質と、前記パケット伝送に際しての所要サービス品質との対応関係を示す関数を、前記基地局に生じ得る通信負荷毎に記憶する処理と、
前記通信負荷を測定する処理と、
前記関数と前記通信負荷を用いて、予め定められたサービス品質を達成するのに必要な無線通信路品質の基準値を算出する処理と、
前記パケット伝送に際して割り当て可能な第１の送信電力を算出する処理と、
前記第１の送信電力で前記基準値を満足できる場合、前記基準値を満足でき且つ前記第１の送信電力よりも小さい第２の送信電力を設定する処理と、
を実行させるための制御プログラム。
【符号の説明】
【０１３１】
１００, １００Ａ, １００Ｂ  基地局
１０１  送信バッファ
１０２  無線リソース割当部
１０３  通信負荷測定部
１０４  スループットデータベース
１０５  ＳＩＮＲ基準値算出部
１０６  送信電力設定部
１０７  データベース更新部
１０８  送信遅延時間データベース
２００  移動局
２０１  送受信部
２０２  チャネル品質測定部
【図１】
2013118512.tif 000010
【図２】
2013118512.tif 000011
【図３】
2013118512.tif 000012
【図４】
2013118512.tif 000013
【図５】
2013118512.tif 000014
【図６】
2013118512.tif 000015
【図７】
2013118512.tif 000016
【図８】
2013118512.tif 000017
【図９】
2013118512.tif 000018
【図１０】
2013118512.tif 000019
【図１１】
2013118512.tif 000020
【図１２】
2013118512.tif 000021
【図１３】
2013118512.tif 000022
【図１４】
2013118512.tif 000023
【図１５】
2013118512.tif 000024
【図１６】
2013118512.tif 000025
【図１７】
2013118512.tif 000026
【図１８】
2013118512.tif 000027